(57)【特許請求の範囲】
【請求項１】
フィルムを含み、このフィルムは、それ自体を少なくとも部分的に横断して延びる補強開封帯を有し、前記開封帯は、第１及び第２の端部と、この第１の端部に近接する切れ目を含み、且つこの切れ目と開封帯の第２の端部の間の開封帯には、その破断を補助する脆弱化された線は設けられておらず、この切れ目の一方の側の開封帯の第１の部分がこの切れ目の他方の側の開封帯の第２の部分から遠ざかるように引っ張られたときに、この切れ目から開封帯の長手方向に沿って前記第２の端部に向かってフィルムに破断が伝播し、その結果、開封帯及びフィルムが、第１の開封帯部分に結合しているフィルムの第１の部分と、それ以外の、第２の開封帯部分に結合しているフィルムの第２の部分を含む２つの部分に分離するように構成された包装材。  
【請求項２】
前記フィルムは第１の側部及びこれと反対側の第２の側部を含み、補強開封帯はこのフィルムの第１の側部から延びていることを特徴とする請求項１に記載の包装材。  
【請求項３】
前記切れ目は、前記フィルムの第１の側部に近接して形成されていることを特徴とする請求項２に記載の包装材。  
【請求項４】
前記フィルムは前記第１の側部と反対側の第２の側部を含み、前記開封帯は第１の側部から第２の側部までフィルムの全体を横断して延びていることを特徴とする請求項２または３に記載の包装材。  
【請求項５】
前記フィルムは前記第１の側部と反対側の第２の側部を含み、前記開封帯は、第１の側部から第２の側部に向かってフィルムを部分的に横断して延びていることを特徴とする請求項２または３に記載の包装材。  
【請求項６】
前記開封帯は、フィルムの第１の側部から突出する少なくとも１つのタブ部を含むことを特徴とする請求項２乃至５のいずれか１項に記載の包装材。  
【請求項７】
前記開封帯は、切れ目の両側に１つずつ配置された２つのタブ部を含むことを特徴とする請求項６に記載の包装材。  
【請求項８】
前記２つのタブ部同士によって実質的にｍ字形の開封帯の端部が画定されていることを特徴とする請求項７に記載の包装材。  
【請求項９】
前記切れ目は、開封帯に形成された実質的にｖ字形の切り込みを含むことを特徴とする請求項１乃至８のいずれか１項に記載の包装材。  
【請求項１０】
前記開封帯は前記フィルムに付着されていることを特徴とする請求項１乃至９のいずれか１項に記載の包装材。  
【請求項１１】
前記開封帯は配向性材料を含むことを特徴とする請求項１乃至１０のいずれか１項に記載の包装材。  
【請求項１２】
前記包装材の材料は配向性フィルムを含むことを特徴とする請求項１乃至１１のいずれか１項に記載の包装材。  
【請求項１３】
前記開封帯を１本だけ含むことを特徴とする請求項１乃至１２のいずれか１項に記載の包装材。  
【請求項１４】
請求項１乃至１３のいずれか１項に記載の包装材に包まれた少なくとも１つの容器を含むパッケージであって、前記開封帯の第１の部分を引っ張って前記切れ目から開封帯の長手方向に沿って前記フィルムに破断を伝播させ、この第１の開封帯部分に結合した前記フィルムの第１の部分を取り除くことにより、前記包装材の全体をパックから取り除くことが可能であり、残りの前記フィルムの第２の部分は、前記第２の開封帯部分を用いて引き剥がすことによってパックから取り除くことができるパッケージ。  
【請求項１５】
フィルムの供給手段及び補強開封帯の材料の供給部と、フィルム及び開封帯の材料を一緒にそれらに通して、第１及び第２の端部を有する開封帯材料をフィルムに付着させることができる１対のローラーと、フィルムが搬送されてそれ又はそれらを通過したときに開封帯及びフィルムに断続的に切断部を形成するように構成された１つ以上の切断刃とを含み、前記切断刃は、フィルムを横断する直線状の切断部を形成してフィルムを個々の包装材に分割し、開封帯材料に、この直線状の切断部に近接してタブ部用切断部を形成して、各包装材の開封帯の一方の端部に第１及び第２のタブ部を画定し、さらに、前記第１の端部に近接して各第１及び第２のタブ部の間の開封帯材料に切れ目を形成するように構成されており、この切れ目と開封帯の前記第２の端部の間の開封帯に、その破断を補助する脆弱化された線を設けない包装材製造装置。  
【請求項１６】
前記第１及び第２のタブ部の間に形成される切れ目は、第１のタブ部が第２のタブ部から遠ざかるように引っ張られたときに、破断がこの切れ目から開封帯の長手方向に沿ってフィルムに伝播することができるように構成されていることを特徴とする請求項１５記載の装置。  
【請求項１７】
単一の補強開封帯にタブ部用切断部並びに第１及び第２のタブ部を形成するように構成されていることを特徴とする請求項１５または１６記載の装置。  
【請求項１８】
前記開封帯の両縁部を横断して、この開封帯に隣接するフィルム内に入り込むタブ部用切断部を形成するように構成されていることを特徴とする請求項１５乃至１７いずれか１項記載の装置。  
【請求項１９】
前記開封帯に隣接するフィルムの領域に、タブ部用切断部と交差するが開封帯内には入り込まない直線状の切断部を形成するように構成されていることを特徴とする請求項１８記載の装置。  
【請求項２０】
１つまたは複数の切断刃は、実質的にｍ字形のタブ部用切断部を形成するように構成されていることを特徴とする請求項１５乃至１９いずれか１項記載の装置。  
【請求項２１】
パッケージ用包装材の製造方法であって、当該方法は順に、連続する補強開封帯材料をフィルムの連続帯に付着させる工程、前記開封帯材料に沿って予め決められた位置のそれぞれに第１及び第２のタブ部を画定するために、前記フィルムに沿ってある間隔で該開封帯材料にそれぞれ、タブ部用切断部及び前記第１及び第２のタブ部との間に切れ目を形成する工程、前記フィルムを横断する直線状の切断部をそれぞれ形成してフィルムを個々の包装材に分割する工程を含み、該包装材が、それぞれ補強開封帯を含み、該各開封帯が前記直線状の切断部に近接して第１の端部と第２の端部を有しており、前記切れ目と開封帯の前記第２の端部の間の開封帯に、その破断を補助する脆弱化された線を設けないパッケージ用包装材の製造方法。
【請求項２２】
単一の補強開封帯にタブ部用切断部並びに第１及び第２のタブ部を形成する工程を含むことを特徴とする請求項２１記載の方法。  
【請求項２３】
前記開封帯の両縁部を横断して、この開封帯に隣接するフィルム内に入り込むタブ部用切断部を形成する工程を含むことを特徴とする請求項２１または２２記載の方法。  
【請求項２４】
開封帯に隣接するフィルムの領域に、タブ部用切断部と交差するが開封帯内には入り込まない直線状の切断部を形成する工程を含むことを特徴とする請求項２３記載の方法。  
【請求項２５】
実質的にｍ字形のタブ部用切断部を形成する工程を含むことを特徴とする請求項２１乃至２４いずれか１項記載の方法。    
【発明の詳細な説明】
【技術分野】
【０００１】
本発明はパッケージに関し、特に包装材と、この包装材を含むパッケージに関する。
【背景技術】
【０００２】
その最初の開封時に取り除かれる密封された外部包装材を含むパッケージが知られている。このような包装材は、少なくとも一方がパックから取り除かれる２つの部分に包装材を分離させて包装材を取り除きやすくする開封帯を含む。分離された包装材の一方の部分に開封帯を付着したままにすることで、分離された包装材の他方の部分を包装品の一部の外面の所定位置に残して、開封帯をパックから取り除くことができる。  
【発明の概要】
【課題を解決するための手段】
【０００３】
本発明の実施形態では、フィルムを含む包装材が提供され、このフィルムは、それ自体を少なくとも部分的に横断して延びる補強開封帯を有し、この開封帯は、第１及び第２の端部と、この第１の端部に近接する切れ目を含み、且つこの切れ目と開封帯の第２の端部の間の開封帯には、その破断を補助する脆弱化された線は設けられておらず、切れ目の一方の側の開封帯の第１の部分が切れ目の他方の側の開封帯の第２の部分から遠ざかるように引っ張られたときに、切れ目から開封帯の長手方向に沿って第２の端部に向かってフィルムに破断が伝播し、その結果、開封帯及びフィルムが、第１の開封帯部分に結合しているフィルムの第１の部分と、それ以外の、第２の開封帯部分に結合しているフィルムの第２の部分を含む２つの部分に分離するように構成されている。  
【０００４】
前記フィルムは第１の側部及びこれと反対側の第２の側部を含んでもよく、補強開封帯はこのフィルムの第１の側部から延び、切れ目はこのフィルムの第１の側部に近接して形成されてもよい。  
【０００５】
前記フィルムは前記第１の側部と反対側の第２の側部を含んでもよく、開封帯は第１の側部から第２の側部までフィルムの全体を横断して延びてもよい。あるいは、開封帯は、第１の側部から第２の側部に向かってフィルムを部分的に横断して延びてもよい。  
【０００６】
前記開封帯は、フィルムの第１の側部から突出する少なくとも１つのタブ部を含んでもよく、切れ目の両側に１つずつ配置された２つのタブ部を含んでもよい。これら２つのタブ部同士によって実質的にｍ字形の開封帯の端部が画定されてもよい。  
【０００７】
前記切れ目は、開封帯に形成された実質的にｖ字形の切り込みを含んでもよい。  
【０００８】
前記開封帯はフィルムに付着されていてもよい。開封帯は配向性材料を含んでもよく、および／または包装材の材料は配向性フィルムを含んでもよい。  
【０００９】
前記包装材は開封帯を１本だけ含んでもよい。  
【００１０】
また本発明は、上記の包装材に包まれた少なくとも１つの容器を含むパッケージであって、前記開封帯の第１の部分を引っ張って前記切れ目から開封帯の長手方向に沿って前記フィルムに破断を伝播させ、この第１の開封帯部分に結合した前記フィルムの第１の部分を取り除くことにより、前記包装材の全体をパックから取り除くことが可能であり、残りの前記フィルムの第２の部分は、前記第２の開封帯部分を用いて引き剥がすことによってパックから取り除くことができるパッケージを提供する。  
【００１１】
また本明細書は、本発明に含まれない態様の包装材、パック、パッケージ、及びそれらの製造装置も提供する。例えば、フィルムを含む包装材であって、このフィルムは、それ自体を少なくとも部分的に横断して延びる複数の補強開封帯を有し、各開封帯はタブ部を含み、第１の開封帯のタブ部が引っ張られることによりフィルムに破断が伝播して、この第１の開封帯に結合したフィルムの第１の部分がフィルムの残りの部分から分離され、第２の開封帯のタブ部が引っ張られることによりフィルムに第２の破断が伝播して、この第２の開封帯に結合したフィルムの第２の部分が画定されるように構成された包装材（以下、単に態様４と称する）を提供する。  
【００１２】
態様４の包装材では、第１及び第２の開封帯が互いに間隔をあけて配置されることにより、これらの間にフィルムの第３の部分が画定され、第１及び第２の開封帯が引っ張られて、これら第１及び第２の開封帯にそれぞれ結合したフィルムの第１及び第２の部分がフィルムの第３の部分から分離されたときに、このフィルムの第３の部分が残留するように構成されてもよい。  
【００１３】
態様４の包装材では、タブ部並びに第１及び第２の開封帯は、各タブ部が引っ張られたときに各開封帯によってフィルムに生じる破断が実質的に互いに反対方向に進行するように構成されてもよい。  
【００１４】
態様４の包装材では、フィルムは、第１の側部及びこれと反対側の第２の側部を含んでもよく、補強開封帯は、このフィルムの第１及び第２の側部の一方から延びている。
【００１５】
態様４の包装材では、第１及び第２の開封帯のタブ部は、各タブ部が引っ張られたときに各開封帯によってフィルムに生じる破断が実質的に互いに反対方向に進行するように、互いにフィルムの反対側に配置されてもよい。  
【００１６】
態様４の包装材では、第１及び第２の開封帯の間のフィルムに脆弱化された線が形成されてもよい。  
【００１７】
態様４の包装材では、各タブ部は、切れ目によってフィルムの各縁部から区切られてもよい。  
【００１８】
態様４の包装材では、開封帯はフィルムに付着されていてもよい。  
【００１９】
また態様４の包装材では、上記の包装材に包まれた少なくとも１つの容器を含むパッケージを提供する。  
【００２０】
また、上記態様４の包装材に包まれたパックを提供し、このパックは平行六面体であり、基部と、このパックの前面に閉線を画定するヒンジ式の蓋を含み、第１の開封帯が閉線の一方の側に配置されると共に、第２の開封帯が閉線の他方の側に配置されることにより、フィルムの前記第１及び第２の部分が取り除かれたときに、第３の部分が閉線に重なった状態でパックの外面に残留して、ヒンジ式の蓋が枢動して開くことを防止する。  
【００２１】
また本明細書は他のパッケージの例として、包装材に包まれた少なくとも１つの容器を含み、この包装材は、互いに封着される重ね合わせ部を有するフィルムを備え、フィルムの重ね合わせ部の領域に、それを引っ張ってフィルムの破断を開始させることにより包装材を除くのが容易になる引っ張り用タブ部が画定され、この封着部がこの引っ張り用タブ部の領域において脆弱化または中断されたパッケージを提供する。  
【００２２】
上記パッケージは、フィルムの重ね合わせ部の領域に形成された複数の引っ張り用タブ部を含んでもよい。  
【００２３】
上記封着部は、引っ張り用タブ部の領域（または複数の引っ張り用タブ部の少なくとも１つの領域）で幅が狭められることによって脆弱化されてもよく、引っ張り用タブ部の領域（または複数の引っ張り用タブ部の少なくとも１つの領域）で完全に中断されてもよい。  
【００２４】
上記引っ張り用タブ部（または各引っ張り用タブ部）が引っ張られたときのフィルムの破断の開始を容易にするために、このフィルムに、引っ張り用タブ部（または各引っ張り用タブ部）に隣接する少なくとも１つの切れ目を形成してもよい。  
【００２５】
また本明細書は他の包装材の例として、その表面領域の少なくとも一部に亘って繰り返し模様状に形成された複数の脆弱化された線を有するフィルムを含む包装材であって、フィルムを引き裂いてその破断を脆弱化された線に沿って伝播させることにより、フィルムの一部をフィルムの残りの部分から分離させることができるように構成された包装材（以下、単に態様７と称する）を提供する。  
【００２６】
上記繰り返し模様は、互いに密着して並んだ複数の多角形の模様を含んでもよい。  
【００２７】
１つ以上の脆弱化された線が残りの脆弱化された線よりも脆弱であることにより意図されたフィルムの破断経路が画定されるように、脆弱化された線は弱さが不均等であってもよい。  
【００２８】
意図された破断開始位置を含むフィルムの縁部は、フィルムに印刷または付着されたラベルを含む１つ以上の引っ張り用タブ部を含んでもよい。  
【００２９】
また本明細書は他のパッケージの例として、上記の包装材に包まれた少なくとも１つの容器を含むパッケージを提供する。  
【００３０】
上記フィルムは配向性フィルムを含んでもよい。  
【００３１】
本発明は、フィルムの供給手段及び補強開封帯材料の供給手段と、フィルム及び開封帯材料を一緒にそれらに通して開封帯材料をフィルムに付着させることができる１対のローラーと、フィルムが搬送されてそれまたはそれらを通過したときに開封帯及びフィルムに断続的に切断部を形成するように構成された１つ以上の切断刃とを含み、前記切断刃は、フィルムを横断する直線状の切断部を形成してフィルムを個々の包装材に分割し、開封帯材料に、この直線状の切断部に近接してタブ部用切断部を形成して、各包装材の開封帯の一方の端部である第１の端部に第１及び第２のタブ部を画定し、さらに、前記第１の端部に近接して各第１及び第２のタブ部の間の開封帯材料に切れ目を形成するように構成されており、この切れ目と開封帯の他方の端部である第２の端部の間の開封帯に、その破断を助ける脆弱化された線を設けない包装材製造装置を提供する。  
【００３２】
第１及び第２のタブ部の間に形成される切れ目は、第１のタブ部が第２のタブ部から遠ざかるように引っ張られたときに、破断がこの切れ目から開封帯の長手方向に沿ってフィルムに伝播することができるように構成されてもよい。  
【００３３】
本発明の装置は、単一の補強開封帯にタブ部用切断部並びに第１及び第２のタブ部を形成するように構成されてもよい。  
【００３４】
本発明の装置は、開封帯の両縁部を横断して、この開封帯に隣接するフィルム内に入り込むタブ部用切断部を形成するように構成されてもよい。  
【００３５】
本発明の装置は、開封帯に隣接するフィルムの領域に、タブ部用切断部と交差するが開封帯内には入り込まない直線状の切断部を形成するように構成されてもよい。  
【００３６】
１つまたは複数の切断刃は、実質的にｍ字形のタブ部用切断部を形成するように構成されてもよい。  
【００３７】
また本明細書は他の装置の例として、フィルムの供給手段及び補強開封帯材料の供給手段と、フィルム及び開封帯材料を一緒にそれらに通して開封帯材料の２つの別々の部分をフィルムに付着させることができる１対のローラーと、フィルムが搬送されてそれまたはそれらを通過したときに開封帯及びフィルムに断続的に切断部を形成するように構成された１つ以上の切断刃とを含み、このまたはこれらの切断刃は、フィルムを横断する直線状の切断部を形成してフィルムを個々の包装材に分割し、開封帯に、この直線状の切断部に近接してタブ部用切断部を形成して、各包装材の各開封帯の一方の端部にタブ部を画定するように構成された包装材製造装置を提供する。  
【００３８】
前記装置は、１対の開封帯をフィルムに沿って平行に、且つ横方向に互いに間隔をあけて設けるように構成されてもよい。  
【００３９】
前記装置は、開封帯の両縁部を横断して、この開封帯に隣接するフィルム内に入り込むタブ部用切断部を形成するように構成されてもよい。  
【００４０】
前記装置は、開封帯に隣接するフィルムの領域に、タブ部用切断部と交差するが開封帯内には入り込まない直線状の切断部を形成するように構成されてもよい。  
【００４１】
本発明は、順に、連続する補強開封帯材料をフィルムの連続帯に付着させる工程、前記開封帯材料に沿って予め決められた位置のそれぞれに第１及び第２のタブ部を画定するために、前記フィルムに沿ってある間隔で該開封帯材料にそれぞれ、タブ部用切断部及び前記第１及び第２のタブ部との間に切れ目を形成する工程、前記フィルムを横断する直線状の切断部をそれぞれ形成してフィルムを個々の包装材に分割する工程を含み、該包装材が、それぞれ補強開封帯を含み、該各開封帯が前記直線状の切断部に近接して第１の端部と第２の端部を有しており、前記切れ目と開封帯の前記第２の端部の間の開封帯に、その破断を補助する脆弱化された線を設けないパッケージ用包装材の製造方法も提供する。  
【００４２】
本発明の方法は、単一の補強開封帯にタブ部用切断部並びに第１及び第２のタブ部を形成する工程を含んでもよい。  
【００４３】
本発明の方法は、開封帯の両縁部を横断して、この開封帯に隣接するフィルム内に入り込むタブ部用切断部を形成する工程を含んでもよい。  
【００４４】
本発明の方法は、開封帯に隣接するフィルムの領域に、タブ部用切断部と交差するが開封帯内には入り込まない直線状の切断部を形成する工程を含んでもよい。  
【００４５】
本発明の方法は、実質的にｍ字形のタブ部用切断部を形成する工程を含んでもよい。  
【００４６】
また本明細書は他の包装材の製造方法として、補強開封帯材料の２つの別々の部分をフィルムに付着させる工程と、フィルムを横断する直線状の切断部を形成してフィルムを個々の包装材に分割する工程と、開封帯に、この直線状の切断部に近接してタブ部用切断部を形成して、各包装材の各開封帯の一方の端部にタブ部を画定する工程を含むパッケージ用包装材の製造方法を提供する。  
【００４７】
上記方法は、複数の開封帯をフィルムに沿って平行に、且つ横方向に互いに間隔をあけて設ける工程を含んでもよい。  
【００４８】
上記方法は、開封帯の縁部を横断して、この開封帯に隣接するフィルム内に入り込むタブ部用切断部を形成する工程を含んでもよい。  
【００４９】
上記方法は、開封帯に隣接するフィルムの領域に、タブ部用切断部と交差するが開封帯内には入り込まない直線状の切断部を形成する工程を含んでもよい。  
【００５０】
また本明細書は他のパッケージの製造方法の例として、少なくとも１つの容器を包装材で包む工程と、この少なくとも１つの容器の一方の側面に沿って包装材を重ね合わせる工程と、この重ね合わせ部同士を封着する工程と、この重ね合わせ部の領域に、それを引っ張ってフィルムの破断を開始させることにより包装材を除くのが容易になる引っ張り用タブ部を形成する工程と、この引っ張り用タブ部の領域に脆弱化または中断された部分を有する前記封着部を形成する工程とを含むパッケージの製造方法を提供する。  
【００５１】
前記方法は、前記脆弱化された領域で幅が狭められた前記封着部を形成する工程、または前記脆弱化された領域で封着を中断して前記封着部を形成する工程を含んでもよい。  
【図面の簡単な説明】
【００５２】
以下に、あくまで例示を目的として、添付の図面を参照して本発明の実施形態について説明する。  
【図１Ａ】本発明の第１の実施形態の包装材を示す。
【図１Ｂ】本発明の第１の実施形態の包装材の変形例を示す。
【図２】その周囲の全体を包む図１の包装材を含むパックを示す。
【図３】包装材が第１の部分的な開封状態となっている図２のパックを示す。
【図４】包装材が第２の部分的な開封状態となっている図２及び３のパックを示す。
【図５】本発明の第２の実施形態の包装材を示す。
【図６】その周囲の全体を包む図５の包装材を含むパックを示す。
【図７】包装材が第１の部分的な開封状態となっている図６のパックを示す。
【図８】包装材が第２の部分的な開封状態となっている図６及び７のパックを示す。
【図９】部分的に開封された本発明の第３の実施形態の包装材を含むパックを示す。
【図１０】部分的に開封された態様４の包装材を含むパックを示す。
【図１１Ａ】第１の開封帯及びフィルム包装材の上部が取り除かれると共に、第２の開封帯が部分的に取り除かれた図１０のパックを示す。
【図１１Ｂ】その外面に沿ってフィルム包装材の中間部が移動した状態の図１１Ａのパックを示す。
【図１２】部分的に開封された態様５（本発明の実施形態でない）の包装材を含むパックを示す。
【図１３】熱封止装置の一部と共に、態様６（本発明の実施形態でない）の包装材を含むパックを示す。
【図１４】部分的に開封された態様７の包装材を含むパックを示す。
【図１５】図１４に示す態様７の包装材に適用可能な破断部の別の構成を示す。
【図１６】本発明の第１の実施形態の包装材を製造し、かかる包装材でパックを包む装置の概略図を示す。
【図１７】製造工程の途中における本発明の第１の実施形態の包装材の一部の第１の図を示す。
【図１８Ａ】製造工程の途中における本発明の第１の実施形態の包装材の第１の変形例の一部の第２の図を示す。
【図１８Ｂ】製造工程の途中における本発明の第１の実施形態の包装材の第２の変形例の一部の第２の図を示す。
【図１９Ａ】図１６の装置の第１の切断ローラーの第１の変形例を示す。
【図１９Ｂ】図１６の装置の第１の切断ローラーの第２の変形例を示す。
【図２０】図１６の装置の第２の切断ローラーを示す。
【図２１】態様４の包装材を製造し、かかる包装材でパックを包む装置の概略図を示す。
【図２２】製造工程の途中における態様４の包装材の一部の第１の図を示す。
【図２３】製造工程の途中における態様４の包装材の一部の第２の図を示す。
【図２４】図２１の装置の第１の切断ローラーを示す。
【図２５】図２１の装置の第２の切断ローラーを示す。
【発明を実施するための形態】
【００５３】
本明細書は、本発明の第１〜３の実施形態に関わる包装材、パッケージ及び包装材の製造装置及び包装材の製造方法を提供すると共に、それの他の態様４〜７の包装材等も提供する。 
図１を参照すると、本発明の第１の実施形態の包装材１０が示されており、この包装材１０は、フィルム１１と、このフィルム１１に永久的に付着され、このフィルム１１を第１の側部１３からこれと反対側の第２の側部１４まで横断して延びた開封帯１２を含む。開封帯１２には、フィルム１１の第１の側部１３を越えて延びた大タブ部１５ａが形成されている。図示の実施形態では、大タブ部１５ａは概ね円形であり、円弧状の切断部１６によって開封帯１２の残りの部分から部分的に分離されている。これにより、概ね円形の大タブ部１５ａの下側の開封帯１２の端部に小タブ部１５ｂが画定される。切り込みまたは短い直線状の切断部１７が円弧状の切断部１６の端部から開封帯１２の長手方向にフィルム１１の第２の側部１４へ向かって短く延びている。
【００５４】
図２には、喫煙品のパック１の周囲の全体を包んだ包装材１０が示されている。フィルム１１の第１及び第２の側部１３、１４は、パック１の一方の側壁２で重なり合って互いに熱封着されている。開封帯１２の大タブ部１５ａは、フィルム１１の第１及び第２の側部１３、１４が重なり合う側壁２に隣接するパック１の縁部３を横断して延びている。開封帯１２は、フィルム１１の内側にパック１の表面に隣接して配置されている。
【００５５】
使用者がパック１の内容物を取り出したいときには、包装材１０を取り除く必要があり、その取り除き手順を図３〜４に示す。まず、使用者は、大タブ部１５ａをパック１から遠ざけるように引っ張ることで、開封帯１２に切り込み１７からその長手方向に沿って破断を伝播させる。使用者が大タブ部１５ａを引っ張り続けると、開封帯１２がその長手方向に沿って裂け続けて上部１２ａと下部１２ｂに分離する。これにより、フィルム１１も上部１１ａと下部１１ｂに分離する。開封帯１２はフィルム１１に永久的に付着されているので、フィルム１１の下部１１ｂ及び開封帯１２の下部１２ｂをパック１の外面に残したまま、フィルム１１の上部１１ａが開封帯１２の上部１２ａと共にパック１から剥がれる（図４を参照のこと）。次に、使用者は、小タブ部１５ｂをパック１から遠ざけるように引っ張ることで、まずフィルム１１を引き裂き、その後、この小タブ部１５ｂと共にフィルム１１の下部１１ｂをパック１から引き剥がす。
【００５６】
図５を参照すると、本発明の第２の実施形態の包装材２０が示されており、この包装材２０は、フィルム２１と、このフィルム２１の第１の側部２３に永久的に付着された開封ラベル２２を備える。開封ラベル２２には、フィルム２１の第１の側部２３を越えて延びる第１のタブ部２５ａ及び第２のタブ部２５ｂが形成されている。第１のタブ部２５ａ及び第２のタブ部２５ｂは、フィルム２１を横断して前記第１の側部２３と反対側のフィルム２１の第２の側部２４へ向かって短く延びる切断部または切り込み２７で対面している。
【００５７】
図６には、喫煙品のパック１の周囲の全体を包んだ包装材２０が示されている。フィルム２１の第１及び第２の側部２３、２４は、パック１の一方の側壁２で重ね合わされ、この重ね合わせ部で互いに熱封着されている。開封帯２２のタブ部２５ａ、２５ｂは、フィルム２１の第１及び第２の側部２３、２４が重ね合わされた側壁２に隣接するパック１の縁部３を横断して延びている。開封ラベル２２は、フィルム２１の熱封着された重ね合わせ部を横断して延びている。
【００５８】
本発明の第１の実施形態と同様に、使用者がパック１の内容物を取り出したいときには、包装材２０を取り除く必要があり、その取り除き手順を図７〜８に示す。まず、使用者は、第１のタブ部２５ａをパック１から遠ざけるように引っ張ることで、開封ラベル２２に切り込み２７からその長手方向に沿って破断を伝播させると共に、熱封着によってフィルムの耐破断性がフィルム２１の非熱封着部に比べて高くなっているので、この破断が確実にフィルム２１の熱封着された重ね合わせ部を越えて延びるように進行するようにする。使用者が第１のタブ部２５ａを引っ張り続けると、この破断は開封ラベル２２の端部に達し、さらにパック１の周囲のフィルム２１のみに継続して伝播する。開封ラベル２２が上部２２ａと下部２２ｂに分離した後もこの開封ラベル上部２２ａを引っ張り続けることで、継続する破断線に沿ってフィルム２１が上部２１ａと下部２１ｂに分離する。開封ラベル２２はフィルム２１に永久的に付着されているので、フィルム２１の下部２１ａ及び開封ラベル２２の下部２２ｂをパック１の外面に残したまま、フィルム２１の上部２１ａが開封ラベル２２の上部２２ａと共にパック１から剥がれる。次に、使用者は、第２のタブ部２５ｂをパック１から遠ざけるように引っ張ることで、まずフィルム２１を引き裂き、その後、この第２のタブ部２５ｂと共にフィルム２１の下部２１ｂをパック１から引き剥がす。
【００５９】
上記の包装材１０、２０の構成は、これらの包装材１０、２０を２つの部分に分けて各開封帯部分１２ａ、１２ｂまたは開封ラベル部分２２ａ、２２ｂを用いて完全に、きれいに且つ効率よくパック１から取り除くことを可能にする。図示の実施形態では、開封帯１２及び開封ラベル２２のどちらも、各切り込み１７、２７から延びるかあるいは開封帯１２／開封ラベル２２の破断を容易にする如何なる付加的な脆弱化された線も含んでいない。これにより、よりきれいな外観がパッケージに付与されると共に、使用時に包装材を取り除く間、開封帯１２／開封ラベル２２の破断は概ねその長手方向に沿って所望の方向に継続する。開封帯１２／開封ラベル２２の材料は、配向性材料（即ち、それ自体に特定方向に大きな強度を付与する内部構造を有するように製造された材料）であってもよい。開封帯１２／開封ラベル２２の場合には、この材料を、横方向には強度が高く且つ長手方向には強度が低いものとすることで、破断が切り込み１７、２７からこの材料に亘って直線状に伝播し続けると共に、この破断が開封帯１２／開封ラベル２２の側縁に向かっておよび／またはこの側縁を通ってずれないようにすることができる。
【００６０】
上記に加えて、フィルム１１、２１は、一方向に比較的容易に破断させることができ、且つこのような破断がフィルム全体に亘って直線状に伝播するが、破断が概ねこの線からずれることがなく、他の如何なる方向にもより高い耐破断性を示す配向性フィルムであってもよい。従って、特に図５〜８に示す変形例では、包装品の周囲の全体を取り巻くようにフィルム１１に取り付けられた補強開封帯が存在しないので、配向性フィルムを用いることにより、切り込み１７、２７から伝播した破断が容易に直線状の経路を辿ってパックの周囲を周回するようになる。
【００６１】
開封帯１２／開封ラベル２２の別の構成は本発明の範囲に含まれるものであり、この構成では、開封帯／開封テープがフィルムの第１及び第２の部分をそれぞれパックから引き剥がす２つの部分に裂けることを可能としつつ、タブ部を異なる形状としてもよい。このような別の構成は、フィルム１１’と、それらの双方がフィルム１１’の第１の側部１３’を越えて延びる上側タブ部１５ａ’及び下側タブ部１５ｂ’が形成された開封帯１２’を含む本発明の第１の実施形態の変形例の包装材１０’を示す図１Ｂに示されている。これら２つのタブ部１５ａ’、１５ｂ’同士は、包装材１０’が上記の方法でパックから取り除かれるときにそこから破断が伝播するのを容易にするｖ字形の切れ目または切り込み１７’を互いの間に有する概ね横向きのｍ字形に形成されている。
【００６２】
図１〜８には、包装品を上から見たときに、開封帯１２、１２’または開封ラベル２２が包装品の周囲を反時計回りに破断させるか、あるいは包装品の前面（最初に破断が伝播する包装品の主面）を横断して左から右に破断するように構成された包装材１０、１０’、２０が示されている。しかしながら、当然のことながら、本発明は、この特定の構成に限定されるものではなく、パックを上から見たときに、開封帯１２、１２’または開封ラベル２２がパックの周囲を時計回りに破断させることで、最初に破断が伝播するパックの主面を横断して破断が右から左に進行するように、上記と逆の構成とすることも等しく可能である。
【００６３】
図９を参照すると、喫煙品のパック１の周囲を包んだ本発明の第３の実施形態の包装材３０が示されている。上記の本発明の第１及び第２の実施形態と同様に、包装材３０は、パック１の側壁２で重ね合わせ部が熱封着されたフィルム３１と、このフィルム３１に永久的に付着され、このフィルム３１の第１の側部３３からこれと反対側の第２の側部３４まで延びる開封帯３２を含む。開封帯３２は、フィルム３１の内側にパック１の表面に隣接して配置されている。開封帯３２は、ｖ字形の切り込み３７（図９では、タブ部３５ａ、３５ｂの２つの隣り合う角部の傾斜した縁部同士によって示されている。）で対面した第１のタブ部３５ａ及び第２のタブ部３５ｂを有している。開封帯３２は、その長手方向に沿って延びる脆弱化された線を含んでおらず、そこから破断を伝播することができる切り込み３７のみが設けられている。
【００６４】
本発明の第１及び第２の実施形態と同様に、使用者がパック１の内容物を取り出したいときには、包装材３０を取り除く必要があるが、その取り除き手順は、本発明の第１の実施形態に関連して先に説明した手順と同様であり、ここでは説明を繰り返さない。また、上で挙げた理由と同様の理由により、開封帯３２及び／またはフィルム３１は、配向性材料を含んでもよい。
【００６５】
態様４の包装材５０を含むパックが図１０に示されており、この包装材５０は、パック１の周囲に熱封着されたフィルム５１と、このフィルム５１に永久的に付着されてこのフィルム５１とパック１の間に配置されており、それぞれ一方の遠位端に個別のタブ部５５ａ、５５ｂを有する２本の開封帯５２ａ、５２ｂを含む。これらの２本の開封帯５２ａ、５２ｂは、互いに間隔をあけて配置されてこれらの間にフィルムの中間部５１ｃを画定している。
【００６６】
包装材５０を取り除くには、第１の開封帯５２ａのタブ部５５ａを引っ張ってパック１の周囲から遠ざけることで（図１１Ａを参照のこと）、フィルム５１を第１の開封帯５２ａで引き裂き、これによりフィルム５１の上部５１ａをフィルム５１の残りの部分から分離させて第１の開封帯５２ａと共にパック１から剥がす。その結果、フィルム５１の中間部５１ｃ及び下部５１ｂ並びに第２の開封帯５２ｂが依然としてパック１の外面に残される（図１１Ａを参照のこと）。次に、使用者は、第２の開封帯５２ｂのタブ部５５ｂをパック１から遠ざけるように引っ張ることで、まずフィルム５１を引き裂き、その後、この第２の開封帯５２ｂと共にフィルム５１の下部５１ｂをパック１から引き剥がす。
【００６７】
その後、フィルム５１の中間部５１ｃのみがパック１の中間部の周囲に残る。フィルム５１の中間部５１ｃの上縁部がパック１の蓋５の閉線４よりも上方に位置することで、蓋５を開くことができなくなっていることが図１０及び１１Ａから分かる。この方法では、フィルム５１の中間部５１ｃは係止スリーブとして機能し、このフィルム５１の中間部５１ｃを蓋５の閉線４よりも下まで矢印Ａ方向（図１１ｂを参照のこと）に下方へとスライドさせるまで、パック１の蓋５の開放を防止する。
【００６８】
態様５の包装材７０を含むパック１が図１２に示されており、この包装材７０は、前述のものと同様にパック１の周囲に熱封着されたフィルム７１と、パック１の周囲を取り巻くように延び、フィルム７１とパック１の間でフィルム７１に永久的に付着されており、その裏側のフィルム７１に付着されていない一方の遠位端にタブ部７５を有する開封帯７２を含む。態様５の包装材７０と前述の包装材の間の１つの相違点は、開封帯７２は、包装材１の前後の主面においてこのパック１の長手方向軸に対し鋭角をなすようにパック１の周囲に配置されており、その結果、開封帯７２が引っ張られてフィルム７１を上部７１ａと下部７１ｂに分離させたときに、この分離線がパック１の前面及び後面を横切って斜め方向に延びることである。図１２に示す実施形態では、開封帯７２は、パックの前面を横切って左から右へ上向きに傾斜し、包装品の右側面を横切って上面及び下面と平行に延びた後、パック１の後面を横切って下向きに延びることで、タブ部７５から遠位の開封帯７２の端部は、パック１の一方の側面でタブ部に隣接している。
【００６９】
上記の態様５と同様に、フィルム７１の上部７１ａは、フィルム７１の下部７１ｂをパック１の外面に残したまま、開封帯７２と共にパック１から剥がれる（使用者は、使用中にフィルム７１の下部７１ｂを元の位置に放置してもよく、ずらしてパック１から外してもよい。）。
【００７０】
図１２に示す態様５の開封帯７２の別の構成では、開封帯７２は、単一の開封帯７２がパックの高さ方向の一部または全体に亘ってパックの周囲を螺旋状に取り巻くように、パックの前後の主面を横断して上方に向かって延び続けている。このような実施形態では、タブ部７５をパックの最上部または最下部に配置し、開封テープが引っ張られたときにパック１の周囲からその巻きが解かれることによってフィルム７１の全体が１回の開封工程で取り除かれるようにしてもよい。
【００７１】
態様６の包装材１２０を含むパック１が図１３に示されており、この包装材１２０は、パック１の側壁２でその重ね合わせ部が継ぎ目６に沿って熱封着されたフィルム１２１を含み、側壁２に重なるフィルム１２１の縁部１２３の一部は、フィルム１１１の残りの直線状の縁部１２３を越えて延びる開封タブ部１２２として形成されている。フィルム１２１の縁部１２３は、開封タブ部１２２の両側に１対の切り込み１２７を含む。
【００７２】
態様６の包装材１２０と上述の実施形態の包装材の間の１つの相違点は、フィルム１２１に結合されてフィルム１２１を補強する補強開封帯または開封ラベルが存在しないことである。その代わり開封タブ部１２２は、単なるフィルムの成形部分である。別の相違点は、継ぎ目６はパック１の側壁２の高さ方向の全体に沿って延びておらず、開封タブ部１２２が配置された非封着部７を含むことで、開封タブ部１２２がその裏側のフィルム１２１に封着されていないことである。この構造は、パック１の側壁２に重なったフィルム１２１の重ね合わせ部に熱を加えて封着部６を形成する熱封着板であって、パック１の側壁２に重なった開封タブ部１２２の位置に対応する凹所９を含むことで、この凹所９の位置で熱封着部を形成しないようになっている熱封着板８（図１３に模式的に示されている。）によって作ることができる。別の実施形態では、熱封着部は、開封タブ部１２２の領域の全体に形成されないものでなくてもよいが、代わりに、フィルム１２１の重ね合わせ部の残りの部分に沿う封着部に比べてその幅を狭くすることで、熱封着部６の脆弱化領域を設けて、包装材１２０を取り除くときに開封タブ部１２２をパック１から容易に剥がせるようにしてもよい。また、開封タブ部１２２は、さらに補強ラベル（開封タブ部１２２に印刷されたものであっても、付着されたものであってもよい。）を備えてもよい。
【００７３】
包装材１２０をパック１から取り除くために、使用者は、開封タブ部１２２を包装品から遠ざけるように引っ張ることで、各切り込み１２７からパック１の横方向に破断を伝播させる。開封タブ部１２２の領域には熱封着部が存在しない（または脆弱化された封着部が存在する）ので、直線的な破断を生じさせるために、この領域に亘ってフィルム１２１に付加的な補強を施す必要はない。その後、各切り込み１２７から伝播した破断は、包装品の周囲に平行に伝播し続けて、フィルム上部をフィルム下部から分離させる開封帯を形成し、その結果、フィルム上部が開封帯に付着してパック１から剥がれ、その後にフィルム下部をパック１から取り除くことができるようになり、これによりパックの内容物を取り出すことが可能となる。また、上で挙げた理由と同様の理由により、態様６の包装材１２０は、配向性フィルム１２１であることが特に適切である。
【００７４】
態様７の包装材１３０を含むパック１が図１４に示されており、この包装材１３０は、パック１の側壁２でその重ね合わせ部が継ぎ目６に沿って熱封着されたフィルム１３１を含む。フィルム１３１の表面には微小脆弱化された線１３２の模様が形成されている。図１４では、これらは六角格子状模様で示されているが、斜交平行模様等の他の形状でもよい。さらに、図１４は、フィルム１３１の全体に亘って延びる模様を示しているが、この模様は、フィルム１３１の幅方向にまたがる帯状領域に延びてもよい。このような選択的な実施形態の双方を図１５に示す。
【００７５】
パック１から包装材１３０を取り除くには、使用者は、継ぎ目６に近接するフィルム１３１の縁部の一部を掴んでパック１から遠ざけるように引っ張る。その結果、脆弱化された線１３２に対応する破断経路にフィルム１３１の破断が伝播して、フィルム１３１を、脆弱化された線の模様に対応する破断縁部を有する上部１３１ａと下部１３１ｂに分離させる。この破断が脆弱化された線同士の間でパック１の上部側または下部側にずれずに脆弱化された線１３２を辿って概ねパックの周囲の横方向の経路に沿って進行することで、開封帯１３３がフィルム１３１の残りの部分から分離し、フィルム１３１の上部１３１ａが、下部１３１ｂを別々に取り除かれるようにパック１の外面に残したまま、この開封帯１３３と共にパックから剥がれる。フィルム１３１が破断するときに、破断が脆弱化された線１３２の横向き部分に沿って伝播し、それから脆弱化された線の傾斜部に沿って伝播するのに伴い、フィルム１３１が独特の可聴音を発してもよい。
【００７６】
脆弱化された線１３２は、弱さが均等なものであってもよいが、それらに沿って開封帯１３３が形成されることが意図された幾つかの脆弱化された線をより脆弱に形成して、意図された破断経路に沿って開封帯１３３がフィルム１３１の残りの部分から分離できるようにしてもよい。
【００７７】
喫煙品の単一のパックを包む包装材に関する実施形態を上に示して説明してきたが、このような包装材は、「剥き出し」または箱入りのいずれかで束ねられた喫煙品の複数の包装品（例えば喫煙品の１０個または２０個の包装品）の周囲や、ブリキ缶または他の容器（例えばスヌースの容器）の周囲等の別の構成の包装品の周囲の外部包装材としても使用できるものである。さらに、このような包装材で包まれる１つまたは複数の容器は、必ずしも平行六面体形状である必要はなく、例えば円筒形容器等の他の形状を有してもよい。喫煙品の包装品用の包装材、または種々の実施形態の外部包装材を有する喫煙品の包装として種々の実施形態が上に示されて説明されている。しかしながら、本発明はこのような用途に限定されるものではなく、他のあらゆる非タバコ産業での用途の包装材及び包装にも等しく適用可能であることが分かるであろう。
【００７８】
上記の実施形態では、包装材は、その重ね合わせ部が継ぎ目に沿って熱封着されるものとして説明されている。しかしながら、本発明はこのような封着手段に限定されるものではなく、糊や他の接着剤等の代替手段も本発明の範囲に含まれる。さらに、いくつかの実施形態は、配向性フィルムを含むものとして上述されているが、このようなフィルムは、本明細書で述べられた、いずれの実施形態の包装材のフィルムとして用いてもよく、パックの周囲の全体を取り巻くように延びる開封テープを備えていない包装材、または開封テープの縁部に直に隣接しない位置で引き裂かれるように構成された包装材に特に好適であるかもしれない。
【００７９】
上記の実施形態では、開封テープは、各フィルムに付着されるものとして説明されているが、本発明はこのような構造に限定されるものではなく、代わりに、開封テープは各フィルムに熱封着されてもよく、あるいは各フィルムへの他の封着手段を有してもよい。また、上記の多くの実施形態では、開封テープ／ラベルは、包装材がパックを包んだときの包装材の内側の面に設けられるものとして説明されているが、開封テープ／ラベルは、各包装材の外側にも等しく設けられてもよい。
【００８０】
上記の本発明の包装材のフィルム及び開封帯は、以下に限定されるものではないが、ポリプロピレン、ポリ塩化ビニル（ＰＶＣ）、酢酸セルロースフィルム、テレフタル酸ポリエチレン（ＰＥＴ）、ポリエチレン酸化物（ＰＥＯＸ）、ポリエチレン、セロファン、Natureflex（登録商標）またはポリ乳酸（ＰＬＡ）を含む種々の材料から製造してもよい。また、このような材料を組み合わせてフィルム／開封帯／開封ラベルにそれぞれ用いてもよい。さらに、包装材に用いられるフィルム及び／または開封帯／開封ラベルの材料は、厚さが約２００ミクロン〜約４ミクロンのものであってもよい。
【００８１】
本発明の第１の実施形態の包装材１０の製造装置２００が図１６に模式的に示されており、この製造装置２００は、フィルムボビン２０１及びテープボビン２０２と、１対のテープアプリケーションローラー２０３と、第１の１対の案内ローラー２０４と、第１の１対の切断ローラー２０５と、第２の１対の切断ローラー２０６と、第２の１対の案内ローラー２０７と、包装部２０８を含む。
【００８２】
フィルム２０９の連続帯がフィルムボビン２０１からテープアプリケーションローラー２０３に供給されると共に、開封テープ２１０の連続帯がテープボビン２０２からテープアプリケーションローラー２０３に供給されることで、開封テープ２１０がフィルム２０９の帯に付着される。開封テープ２１０がフィルム２０９の帯に付着するように、開封テープ２１０の一方の面に予め接着剤が塗布されていてもよく、あるいは、テープボビン２０２とテープアプリケーションローラー２０３の間に、開封テープ２１０がフィルム２０９の帯と接触する前にこの開封テープ２１０に接着剤を塗布する接着剤塗布部（図示略）が設けられてもよい。
【００８３】
図１６の位置Ｐ１における、開封テープ２１０が付着された連続フィルム２０９の一部の図が図１７に示されている。
【００８４】
フィルム２０９の帯は、テープアプリケーションローラー２０３を通過した後、このフィルム２０９の帯の装置２００への供給速度を制御する第１の１対の案内ローラー２０４を通過する。
【００８５】
フィルム２０９の帯は、第１の１対の案内ローラー２０４を通過した後、刃付きローラー２０５ａと相対ローラー２０５ｂを含む第１の１対の切断ローラー２０５を通過する。刃付きローラー２０５ａは、開封テープ２１０にタブ部用切断部２１２を形成して大タブ部１５ａ及び小タブ部１５ｂ、円弧状の切断部１６並びに切り込み１７を形成する形状及び位置に設けられたブレード２１１を含む。図１Ａに示される包装材のこれらの機能要素を形成する上記の刃付きローラー２０５ａが図１９Ａに示されている。図１Ｂに示される包装材の第１及び第２のタブ部１５ａ’、１５ｂ’を形成するように構成されたブレード２１１を有する別の刃付きローラー２０５ａが図１９Ｂに示されている。この図１９Ｂの刃付きローラー２０５ａのブレード２１１は、概ねｍ字形となっている。
【００８６】
刃付きローラー２０５ａは、特定の直径を有するものであり、フィルム２０９の帯及び相対ローラー２０５ｂと位置合わせされて回転することで、フィルム２０９の帯が第１の１対のローラー２０５の間を通過するときに所望の間隔でブレード２１１をフィルム２０９の帯及びこれに付着した開封テープ２１０に当てて相対ローラー２０５ｂに押し付け、これによりフィルム２０９の帯に沿って所望の間隔で切断部２１２を形成する。
【００８７】
その後、フィルム２０９の帯は、刃付きローラー２０６ａと相対ローラー２０６ｂを含む第２の１対の切断ローラー２０６を通過する。刃付きローラー２０６ａは、フィルム２０９の帯が第２の１対のローラー２０６を通過するときに、このフィルム２０９の帯を横断するように切断してこのフィルム２０９の帯に直線状の切断部２１６を形成し、これによりフィルム２０９の連続帯から個々の包装材１０、１０’を形成するように構成された一連の直線ブレード２１５を含む。この第２の刃付きローラー２０６ａが図２０に示されている。切断部２１６はフィルム２０９の帯を横断して延びるものであり、且つ、ブレード２１５は、間隔をあけて配置され、フィルム２０９の両側部の近傍に小さい非切断片領域２１７を残すことで、装置２００内でフィルム２０９を後の加工工程へ引っ張ることできるが、その後の包装品包装工程（以下に詳述する。）でこの片領域２１７を断裂させてフィルム２０９の連続帯から個々の包装材１０、１０’を分割することができるように構成されている。
【００８８】
第２の切断ローラー２０６は、直線状の切断部２１６がタブ部用切断部２１２の位置と厳密に対応して形成されるように、その大きさ、間隔、構成並びにフィルム２０９の帯の搬送速度が第１の切断ローラーと位置合わせされている。ブレード２１５は、前の切断工程で形成されたタブ部領域１５ａ、１５ｂ、１５ａ’、１５ｂ’を横断して切断しないように構成されている。図１Ａ及び１Ｂに示される本発明の第１の実施形態の包装材１０、１０’の各変形例を形成するフィルム２０９の帯をそれぞれ示す図１８Ａ、１８Ｂに、第２の１対の切断ローラー２０６を離れた後の（図１６の位置Ｐ２における）成形されたフィルム２０９の帯が示されている。図１Ｂ及び１８Ｂの包装材１０’に形成されたｍ字形切断部２１２を見ると、直線状の切断部２１６は、フィルム２０９のｍ字形切断部の両端部２１８と交差して、開封帯１２のタブ部１５ａ’、１５ｂ’を確実に前の包装材１０’から完全に分離させるが、この直線状の切断部２１６は、完成した包装材１０’のタブ部１５ａ’、１５ｂ’または開封帯１２が弱くなるのを避けるために、開封帯２１０の範囲内には延びないことが分かる。
【００８９】
当業者には、切り込みの形状に応じて切り込み刃（即ち刃付きローラー２０５ａのブレード２１１）の意匠を変えることで、様々な異なる形状の切り込みを形成できることが分かる。例えば、図１Ａ及び１８Ａに示される開封テープ２１０のタブ部用切断部２１２の変形例は、この切断部２１２が直線状の切断部２１６と交差して、連続した包装材１０を確実に完全に分離させるように、この切断部２１２の第２のタブ部１５ｂと反対側の部分が、開封テープ２１０の縁部に沿ってこれと平行に延びる代わりに、接線方向に延びて、隣接するフィルム１１／２０９に入り込むものであってもよい。また、完成した包装材１０のタブ部１５ａまたは開封帯１２が弱くなるのを避けると共に、各刃付きローラー２０５ａ、２０６ａに対するフィルム２０９及び開封テープ２１０の位置に、ある程度の製造上の公差を許容するために、直線状の切断部２１６は、図１８Ｂで直線状の切断部２１６がｍ字形切断部２１２の両端部２１８と交差するのと同様に、上記の接線方向の切断部と交差した後、開封テープ２１０まで延びてなくてもよい。
【００９０】
切断されたフィルム２０９の帯が第２の１対の切断ローラー２０６を通過した後、このフィルム２０９の帯はさらなる１対の案内ローラー２０７を通過して包装部２０８に送り込まれ、この包装部２０８では、矢印Ｃ方向に喫煙品のパックが連続して供給され、各パックが末端の包装材１０／１０’の中央部に押し込まれることで片領域２１７が断裂してこの包装材１０／１０’がフィルム２０９の帯から分離され、その後、パック１が包装材１０／１０’で包まれて密封される。
【００９１】
態様４の包装材５０の製造装置３００が図２１に模式的に示されており、この装置３００は、上記の装置２００と類似したものであり、フィルムボビン３０１と、１対のテープアプリケーションローラー３０３と、第１の１対の案内ローラー３０４と、第１の１対の切断ローラー３０５と、第２の１対の切断ローラー３０６と、第２の１対の案内ローラー３０７と、包装部３０８を含む。しかしながら、態様４の包装材５０は２本の別々の開封帯５２ａ、５２ｂを含むので、この装置３００は、第１及び第２のテープボビン３０２ａ、３０２ｂを含む。
【００９２】
図２４に示されるように別々の刃で個々のタブ部用切断部を形成する（以下に詳述する。）代わりに、図１９Ｂに示されるようにｍ字形の単一の刃を用いることにより、この形状をなぞるタブ部用切断部を切り込んでもよい。
【００９３】
フィルム３０９の連続帯がフィルムボビン３０１からテープアプリケーションローラー３０３に供給されると共に、開封テープ３１０ａ、３１０ｂの連続帯が第１及び第２のテープボビン３０２ａ、３０２ｂからテープアプリケーションローラー３０３に供給されることで、開封テープ３１０ａ、３１０ｂがフィルム３０９の帯に付着される。装置２００について説明したのと同様に、開封テープ３１０ａ、３１０ｂの一方の面に予め接着剤が塗布されていてもよく、あるいは、テープボビン３０２ａ、３０２ｂとテープアプリケーションローラー３０３の間の接着剤塗布部（図示略）で開封テープ３１０ａ、３１０ｂに接着剤が塗布されてもよい。
【００９４】
図２１の位置Ｐ３における、開封テープ３１０ａ、３１０ｂが付着された連続フィルム３０９の一部の図が図２２に示されている。
【００９５】
フィルム３０９の帯は、テープアプリケーションローラー３０３を通過した後、このフィルム３０９の帯の装置３００への供給速度を制御する第１の１対の案内ローラー３０４を通過する。
【００９６】
その後、フィルム３０９の帯は、刃付きローラー３０５ａと相対ローラー３０５ｂを含む第１の１対の切断ローラー３０５を通過する。図２４に示される刃付きローラー３０５ａは、上述のように、概ねＣ字形の切断部を形成するように構成されているが、開封テープ３１０ａ、３１０ｂ及びフィルム３０９に切断部３１２を形成する形状及び位置に設けられた１対のブレード３１１ａ、３１１ｂを含む。
【００９７】
その後、フィルム３０９の帯は、刃付きローラー３０６ａと相対ローラー３０６ｂを含む第２の１対の切断ローラー３０６を通過する。第２の刃付きローラー３０６ａは図２５に示されており、この刃付きローラー３０６ａは、前述のようにフィルム３０９の帯を横断して切断するように構成された一連の直線ブレード３１５を含む。前述の通り、切断部３１６は、フィルム３０９の帯を横断して延びるが、フィルム３０９の両側に小さい非切断片領域３１７を残す。また、ブレード３１５は、タブ部領域５５ａ、５５ｂを横切って切断しないように構成されており、図１０、１１Ａ及び１１Ｂに示される態様４の包装材５０を形成するフィルム３０９の帯を示す図２３に、第２の１対の切断ローラー３０６を離れた後の（図２１の位置Ｐ４における）成形されたフィルム３０９の帯が示されている。包装材５０に形成されたＣ字形切断部３１２を見ると、直線状の切断部３１６は、フィルム３０９のＣ字形切断部の両端部３１８と交差して、開封帯５２ａ、５２ｂのタブ部５５ａ、５５ｂを確実に前の包装材５０から完全に分離させるが、この直線状の切断部３１６は、完成した包装材５０のタブ部５５ａ、５５ｂまたは開封帯５２ａ、５２ｂが弱くなるのを避けるために、開封帯３１０ａ、３１０ｂの範囲内には延びない。
【００９８】
切断されたフィルム３０９の帯が第２の１対の切断ローラー３０６を通過した後、このフィルム３０９の帯はさらなる１対の案内ローラー３０７を通過して、前述のように個々のパック１を包装する包装部３０８に送り込まれる。
【００９９】
上記の本発明の装置の実施形態又はその他の態様では、第２の刃付きローラー２０６ａ、３０６ａは、フィルム２０９、３０９の帯の両縁部の近傍に非切断片領域２１７、３１７を残すように構成されているが、この構成に限定されるものではなく、直線状の切断部２１６、３１６はフィルム２０９、３０９の帯の両縁部まで全体に横断して延び、パック包装工程の前に個々の包装材１０、１０’、５０を互いに完全に分離させてもよい。
【０１００】
上記の本発明の装置又はその他の装置では、各１対の切断ローラー２０５、２０６、３０５、３０６によってフィルム２０９、３０９の帯に切断部が形成される。しかしながら、この特定の実施形態に限定されるものではなく、代わりに、カムに取り付けられた刃とベアリングまたはローラーの間にフィルム２０９、３０９の帯が通され、この刃が往復移動することで、通過するフィルム２０９、３０９の帯に沿って断続的に所望の切断部が形成されるようにしてもよい。このような実施形態では、刃は、フィルムに切断部を打ち込む板に取り付けられてもよい。
【０１０１】
複数の開封テープ３１０ａ、３１０ｂがフィルム３０９に設けられる装置３００では、各開封テープ３１０ａ、３１０ｂは別々のボビン３０２ａ、３０２ｂから供給される。しかしながら、このような装置の構成に限定されるものではなく、代わりに単一のボビンから複数の開封テープが供給されることも考えられる。さらに、単一の幅広の開封テープ材料の帯が、この開封テープ材料を長手方向に切断して、その後にフィルムに供給してこのフィルムに付着させることができる所望の数の開封テープを形成することが可能な接合ローラーまたは他の接合手段に供給されることも考えられる。
【０１０２】
本明細書で用いられる用語「喫煙品」は、タバコ、タバコ派生物、膨張タバコ、再生タバコまたはタバコ代替品のいずれを基礎材料としているかにかかわらず、紙巻きタバコ、葉巻タバコ及びシガリロ等の喫煙することができる製品、並びに加熱するが燃焼させない製品を含む。喫煙品は、喫煙者によって吸引される気流用のフィルターを備えるものであってもよい。
【０１０３】
タバコ産業製品とは、典型的には、ａ）紙巻きタバコ、シガリロ、葉巻タバコ、パイプ用または手巻き式紙巻きタバコ用のタバコ（タバコ、タバコ派生物、膨張タバコ、再生タバコまたはタバコ代替品のいずれを基礎材料としているかにかかわらない）、ｂ）嗅ぎタバコ、スヌース、固形タバコ及び加熱するが燃焼させない製品等の、タバコ、タバコ派生物、膨張タバコ、再生タバコまたはタバコ代替品を組み込んだ非喫煙品、並びにｃ）吸入器、錠剤及びガム等の他のニコチン供給システムを含む、タバコ産業で製造または販売されるあらゆる物品を指す。この品目は排他的なものではなく、単にタバコ産業で製造及び販売される製品の範囲を例示するものである。
【０１０４】
種々の問題に対処して当業技術を向上させるために、本明細書の全体は、例として、特許請求の範囲に規定される１つまたは複数の発明が実施され、優れた包装材を提供することができる種々の実施形態を示す。本明細書に開示した利点及び特徴は、実施形態の代表的な例に過ぎず、非包括的且つ／または非排他的なものである。これらは、特許請求の範囲に規定される原理の理解を助け、この原理を教示するために提示されているに過ぎない。当然のことながら、これらが特許請求の範囲に規定される全ての発明を代表するものではない。従って、本明細書に開示した特定の態様については、本明細書では説明していない。代替実施形態が本発明の特有の部分に示されていないかもしれないこと、あるいは、説明しなかったさらなる代替実施形態を一部に用いることができるかもしれないことは、それらの代替実施形態に関する権利の部分放棄と看做されるべきではない。それらの説明しなかった実施形態の多くは本発明の同じ原理を取り入れたものであり、それ以外のものは均等物であることが分かるであろう。従って、本明細書の開示の範囲及び／または趣旨から逸脱することなく、他の実施形態を用いることができ、且つ変更を加えることができることを理解すべきである。そのため、全ての例、実施例及び／または実施形態は、本明細書の全体を通じて非限定的なものと看做される。また、本明細書で説明したこれらの実施形態について、紙面及び繰り返しを削減することを目的としたもの以外で本明細書で説明しなかった実施形態と比較して、如何なる推定もすべきではない。種々の実施形態は、適宜、本明細書に開示された要素、成分、特徴、部分、工程、方法等の種々の組み合わせを備えてもよく、これらの組み合わせにより構成されてもよく、本質的にこれらの組み合わせにより構成されてもよい。開示された特徴、要素、実施例等のいくつかは、互いに矛盾し、それらが１つの実施形態に同時に存在することはできないかもしれない。同様に、いくつかの特徴は、本明細書に開示した１つの態様には適用できるが、他の態様には適用できない。さらに、本明細書は、現時点では特許請求の範囲に規定していない他の発明を含む。出願人は、現時点では特許請求の範囲に規定していないそれらの発明に対して、それらの発明を特許請求の範囲に規定する権利及び追加出願、継続出願、一部継続出願、分割出願等をする権利を含む全ての権利を有する。従って、本明細書に開示した利点、実施形態、例、機能、特徴、構造、及び／または他の態様は、特許請求の範囲によって画定される本明細書の開示を限定するもの、または特許請求の範囲の均等物を限定するものと看做されるべきでないことを理解すべきである。
【図１Ａ】
0005952918.tif 000002
【図１Ｂ】
0005952918.tif 000003
【図２】
0005952918.tif 000004
【図３】
0005952918.tif 000005
【図４】
0005952918.tif 000006
【図５】
0005952918.tif 000007
【図６】
0005952918.tif 000008
【図７】
0005952918.tif 000009
【図８】
0005952918.tif 000010
【図９】
0005952918.tif 000011
【図１０】
0005952918.tif 000012
【図１１Ａ】
0005952918.tif 000013
【図１１Ｂ】
0005952918.tif 000014
【図１２】
0005952918.tif 000015
【図１３】
0005952918.tif 000016
【図１４】
0005952918.tif 000017
【図１５】
0005952918.tif 000018
【図１６】
0005952918.tif 000019
【図１７】
0005952918.tif 000020
【図１８Ａ】
0005952918.tif 000021
【図１８Ｂ】
0005952918.tif 000022
【図１９Ａ】
0005952918.tif 000023
【図１９Ｂ】
0005952918.tif 000024
【図２０】
0005952918.tif 000025
【図２１】
0005952918.tif 000026
【図２２】
0005952918.tif 000027
【図２３】
0005952918.tif 000028
【図２４】
0005952918.tif 000029
【図２５】
0005952918.tif 000030